(57)【特許請求の範囲】
【請求項１】
導体材質であり、電磁波を遮蔽するための遮蔽面、
前記遮蔽面と同一材質で、前記遮蔽面と連結され、前記遮蔽面と垂直をなし、前記遮蔽面を中心に対称をなす第１及び第２ストリップアンテナ、及び
前記第１及び第２ストリップアンテナの各々の一辺の一部が突出され、下部に配置される基板と結合する複数の固定部を含み、
前記遮蔽面と前記第１及び第２ストリップアンテナの連結部に前記第１及び第２ストリップアンテナに給電するための第１及び第２の給電点が形成されることを特徴とするシールドケース。
【請求項２】
前記第１及び第２ストリップアンテナは線対称をなすことを特徴とする請求項１に記載のシールドケース。
【請求項３】
前記第１及び第２ストリップアンテナは点対称をなすことを特徴とする請求項１に記載のシールドケース。
【請求項４】
前記第１及び第２ストリップアンテナの各々の端部に、トリミング部が形成されることを特徴とする請求項１に記載のシールドケース。
【請求項５】
前記遮蔽面において前記第１及び第２ストリップアンテナが連結されない境界に配置され、前記遮蔽面と連結されて、前記遮蔽面を前記基板と結合する少なくとも一つの固定面をさらに含むことを特徴とする請求項１に記載のシールドケース。
【請求項６】
前記遮蔽面と同一材質で、前記遮蔽面において前記第１及び第２ストリップアンテナが連結されない部分に配置され、前記遮蔽面と連結され、前記遮蔽面と垂直をなし、前記遮蔽面を中心に対称をなす第３及び第４ストリップアンテナをさらに含むことを特徴とする請求項１に記載のシールドケース。
【請求項７】
基板、及び
前記基板の一領域と結合され、前記基板に実装される電子部品を遮蔽するシールドケースを含み、
前記シールドケースは、
導体材質の遮蔽面、
前記遮蔽面と同一材質で、前記遮蔽面と連結され、前記遮蔽面と垂直をなし、前記遮蔽面を中心に対称をなす第１及び第２ストリップアンテナ、及び
前記第１及び第２ストリップアンテナの各々の一辺の一部が突出され、前記基板と結合する複数の固定部を含み、
前記遮蔽面と前記第１及び第２ストリップアンテナの連結部に前記第１及び第２ストリップアンテナに給電するための第１及び第２の給電点が形成されることを特徴とするアンテナセット。
【請求項８】
前記基板上に、
前記シールドケースによって遮蔽されない地点に配置される少なくとも一つのチップアンテナをさらに含むことを特徴とする請求項７に記載のアンテナセット。
【請求項９】
前記遮蔽面において前記第１及び第２ストリップアンテナが連結されない境界に配置され、前記遮蔽面と連結されて、前記遮蔽面を前記基板と結合する少なくとも一つの固定面をさらに含むことを特徴とする請求項７に記載のアンテナセット。
【発明の詳細な説明】
【技術分野】
【０００１】
本発明は、ストリップアンテナを備えるシールドケース及びこれを含むアンテナセットに関するものである。
【背景技術】
【０００２】
ギガヘルツの周波数帯域を使用する無線通信装置の場合、ストリップアンテナやチップアンテナを用いて所望の帯域の無線信号を受信することができる。
【０００３】
最近の無線通信端末機の場合、一つの端末機に２つ以上のアンテナを備えることが求められる。これには２つの場合が見られるが、第一に、海外ローミングや周波数が互いに異なる無線通信サービス会社で共通に用いるために、互いに異なる受信周波数を有する２つ以上のアンテナを備える場合、第二に、同一の周波数の無線信号のためのアンテナを２つ備えて、その一つは送信用として用い、他の一つは受信用として用いる場合である。
前記第二の場合は、特に、無線インターネットサービス（例：Ｗｉｂｒｏ）のための端末機でみられる。
【０００４】
ところが、無線通信端末機の小型化及び多機能化の傾向により、２つ以上のアンテナを装着するための空間を確保することが容易でなく、２つ以上のアンテナは製造コストを増大させる要因となる。
【０００５】
一方、無線通信端末機は内部に多い電子部品を実装しており、前記電子部品のうち一部は外部の電磁気波によって悪影響を受けるため、無線通信端末機には、内部の電子部品を電磁波から遮蔽させるためのシールドケースを備えることができる。
【発明の概要】
【発明が解決しようとする課題】
【０００６】
本発明は、低コストで２つ以上のアンテナを提供することのできるシールドケースまたはこれを含むアンテナセットを提供しようとする。
【０００７】
また本発明は、空間を節約することができ、２つ以上のアンテナを提供することのできるシールドケースまたはこれを含むアンテナセットを提供しようとする。
【０００８】
本発明が解決しようとする技術的問題は、前記に明示されたものに限定されず、前記で言及していない他の技術的問題は、下記の詳細な説明から当業者であれば必ず理解できることである。
【課題を解決するための手段】
【０００９】
本発明の目的は、前記説明した問題点または不利益の一つまたはそれ以上を全部または一部を解決するために提供される。前記の目的を全部または一部を最小限達成するために、下記で包括的に説明するとおりの本発明の一実施例によるシールドアンテナは、内装される電子部品に対して電磁波を遮蔽するための遮蔽面、及び、前記電子部品が実装される基板と結合する固定部と、所望の周波数の信号を受信するための信号受信部とを含み、前記遮蔽面の境界に連結され、前記遮蔽面を介して互いに向き合うように位置する２つのストリップアンテナを含む。
【００１０】
本発明のある例示的な実施の形態では、信号受信部は、導体材質で帯状の平面に形成され、固定部は、前記帯状の平面をなす一辺の一部が突出した形状に形成されてもよい。
【００１１】
本発明のある例示的な実施の形態では、帯状の平面は、遮蔽面と垂直であってもよい。
【００１２】
本発明のある例示的な実施の形態では、ストリップアンテナは、トリミング過程において全部または一部が除去できるトリミング部を含んでもよい。
【００１３】
本発明のある例示的な実施の形態では、遮蔽面の２つのストリップアンテナが位置しない境界に位置し、遮蔽面を基板と結合する少なくとも一つの固定面を含んでもよい。
【００１４】
本発明のある例示的な実施の形態では、遮蔽面の境界に連結され、遮蔽面の２つのストリップアンテナが位置しない境界に位置し、遮蔽面を介して互いに向き合うように位置する２つの追加ストリップアンテナを含んでもよい。
【００１５】
本発明の他の実施例によるアンテナセットは、電子部品が実装される基板、及び、前記電子部品に対して電磁波を遮蔽するための遮蔽面と、前記基板と結合する固定部及び所望の周波数の信号を受信するための信号受信部を含み、前記遮蔽面の境界に連結され、前記遮蔽面を介して互いに向き合うように位置する２つのストリップアンテナを含むシールドケースを含む。
【００１６】
本発明のある例示的な実施の形態では、基板は、基板上のシールドケースによって遮蔽されない地点に位置する少なくとも一つのチップアンテナを含んでもよい。
【００１７】
本発明のある例示的な実施の形態では、２つのストリップアンテナの受信信号の周波数は互いに同一であり、２つのチップアンテナの受信信号の周波数は互いに同一であり、ストリップアンテナとチップアンテナの受信信号の周波数は互いに異なってもよい。
【００１８】
本発明のある例示的な実施の形態では、信号受信部は、導体材質で帯状の平面に形成され、固定部は、帯状の平面をなす一辺の一部が突出した形状に形成されてもよい。
【００１９】
本発明のある例示的な実施の形態では、ストリップアンテナは、トリミング過程において全部または一部が除去できるトリミング部を含んでもよい。
【００２０】
本発明のある例示的な実施の形態では、遮蔽面の２つのストリップアンテナが位置しない境界に位置し、遮蔽面を基板と結合する少なくとも一つの固定面を含んでもよい。
【発明の効果】
【００２１】
本発明によるシールドケース及びこれを含むアンテナセットは製造費用の節減が可能であり、製品のスペースを縮ませる点から有利な効果がある。
【図面の簡単な説明】
【００２２】
【図１】本発明の一実施例による２つのストリップアンテナを備えるシールドケースを示す斜視図である。
【図２】本発明の他の実施例による２つのストリップアンテナを備えるシールドケースを示す斜視図である。
【図３】本発明のまた他の実施例による２つのストリップアンテナを備えるシールドケースを示す斜視図である。
【図４】図１ないし図３のシールドケースと結合できる基板の一実施例を示す平面図である。
【図５】図１ないし図３のシールドケースと結合できる基板の他の実施例を示す平面図である。
【図６】図１のシールドケース及び図５の基板が結合された状態を示す平面図である。
【図７】本発明のまた他の実施例による４つのストリップアンテナを備えるシールドケースを示す斜視図である。
【図８】本発明のまた他の実施例による４つのストリップアンテナを備えるシールドケースを示す斜視図である。
【発明を実施するための形態】
【００２３】
本発明の好ましい実施例を添付の図面を参照しつつ詳細に説明する。一部図面の説明で類似な部分については同じ図面符号を記載する。既に知られている機能、構成または構造に対する説明は説明の簡潔さと明瞭さのため省略し、不要な詳細な説明による本発明の要旨がぼやけないようにした。
【００２４】
図１は、本発明の一実施例による２つのストリップアンテナを備えるシールドケースを示す。
図示したシールドケース１００は、内装される電子部品に対して電磁波を遮蔽するための遮蔽面１１０、及び、前記電子部品が実装される基板と結合する固定部１４４と、所望の周波数の信号を受信するための信号受信部１２２、１４２とを含み、前記遮蔽面１１０の境界に連結され、前記遮蔽面１１０を介して互いに線対称的に向き合うように位置する２つのストリップアンテナ１２０、１４０を含む。
【００２５】
図示したように、前記信号受信部１２２、１４２は、導体材質で帯状の平面に形成され、前記固定部１４４は、前記帯状の平面をなす一辺（すなわち、信号受信部１４２）の一部が突出した形状に形成される。図１が斜視図であるため図面では隠されているが、前記符号１２０のアンテナにも下方向に前記信号受信部１２２の一部が突出した形状で固定部が形成される。
【００２６】
図面において、前記遮蔽面１１０の前記２つのストリップアンテナ１２０、１４０が位置しない境界に位置し、前記遮蔽面を前記基板と結合する２つの固定面１６２、１６４をさらに備える。これによって、シールドケースの基板との結合の安全性を高めることができる。
【００２７】
前記遮蔽面１１０と前記２つのストリップアンテナ１２０、１４０とは互いに同一の導体材質の板金から一体型に製造することができ、この場合、コスト節減の効果が増大される。また、前記２つの固定面１６２、１６４も前記遮蔽面１１０と一体型に製造され得る。
【００２８】
前記遮蔽面１１０と前記２つのストリップアンテナ１２０、１４０の信号受信部１２２、１４２とが互いに垂直をなし、前記遮蔽面１１０と前記２つの固定面１６２、１６４とが互いに垂直をなして、前記遮蔽面１１０、前記２つのストリップアンテナ１２０、１４０及び前記２つの固定面１６２、１６４が直方体をなすことができる。前記直方体の内部空間に、前記シールドケースと結合される基板上に装着された電子部品が位置することができる。
【００２９】
前記各ストリップアンテナのための給電点１２６、１４６は、各ストリップアンテナと前記遮蔽面１１０との連結地点に形成される。
前記２つのストリップアンテナ１２０、１４０は、同一の規格を有するため、同一の周波数帯域を有する信号を送／受信することができる。例えば、前記２つのストリップアンテナ１２０、１４０は、同一に２．３ＧＨｚの信号を用いるワイブロ無線ランのためのアンテナとして構成し、このうち一つのストリップアンテナ１２０はアップロード用アンテナとして用い、残り一つのストリップアンテナ１４０はダウンロード用アンテナとして用いるように具現することができる。
【００３０】
図２は、本発明の他の実施例による２つのストリップアンテナを備えるシールドケースを示す。
図示したシールドケース１００−１は、内装される電子部品に対して電磁波を遮蔽するための遮蔽面１１０−１、及び、前記電子部品が実装される基板と結合する固定部１４４−１と、所望の周波数の信号を受信するための信号受信部１２２−１、１４２−１とを含み、前記遮蔽面１１０−１の境界に連結され、前記遮蔽面１１０−１を介して互いに点対称的に向き合うように位置する２つのストリップアンテナ１２０−１、１４０−１を含む。
【００３１】
図２のシールドケース１００−１の２つのストリップアンテナ１２０−１、１４０−１の給電点１２６−１、１４６−１も、前記遮蔽面１１０−１を中心に点対称の位置にあり、両給電点１２６−１、１４６−１の間の距離は図１の場合よりも長い。その結果、２つのストリップアンテナ１２０−１、１４０−１の相互間の干渉が減る利点がある。反面、基板において各給電点１２６−１、１４６−１の連結作業が難しくなる短所がある。
【００３２】
図２のシールドケース１００−１は前記点対称構造を除いては図１の場合と類似するため、重複する説明は省略する。
【００３３】
図３は、本発明のまた他の実施例による２つのストリップアンテナを備えるシールドケースを示す。
図示したシールドケース１００−２は、図１のシールドケースと構造が類似するが、各ストリップアンテナ１２０−２、１４０−２の端部分に、トリミング作業のためのトリミング部１２８、１４８をそれぞれさらに含む点に差がある。前記トリミング部１２８、１４８は、多様な周波数帯域を有する信号に対する無線通信サービスが存在することから、同一の工程で生産されたシールドケースを多様な周波数帯域を有する信号に対する無線通信サービスに用いるようにするための構成である。つまり、シールドケース１００−２の製造後、使用される用途に応じて、その用途の周波数帯域に合うように前記トリミング部１２８、１４８の長さを調節することができる。前記トリミング部１２８、１４８の長さの調節が容易であるように、前記トリミング部１４８は、固定部１４４−２の外方に形成される。対称的な他のストリップアンテナ１２０−２に対しても同様である。
【００３４】
図３のシールドケース１００−２は前記トリミング部１２８、１４８を除いては図１の場合と類似するため、重複する説明は省略する。
【００３５】
図４は、図１ないし図３のシールドケースと結合できる基板２００の一例を示すものである。図示したように、基板２００の上面には複数個の電子部品が実装され得、前記電子部品への電磁波の影響を遮断するために図１ないし図３のシールドケースと結合されるが、シールドケースに形成された２つのストリップアンテナのおかげで別途のアンテナ素子を装着する必要がない。
【００３６】
図５は、図１ないし図３のシールドケースと結合できる基板２０１の他の例を示すものである。図示したように、基板２００の上面には複数個の電子部品とともに、２つのチップアンテナ２２０、２４０が実装されている。符号２２２、２４２は、各チップアンテナ２２０、２４０に対する給電点を示す。
【００３７】
図６は、図１のシールドケースと図５の基板２０１とを結合した状態のアンテナセットを示す。
つまり、図示したアンテナセットは、電子部品が実装され、上記シールドケースによって遮蔽されない地点に位置する２つのチップアンテナ２２０、２４０を備える基板２０１、及び、前記電子部品に対して電磁波を遮蔽するための遮蔽面と、前記基板と結合する固定部及び所望の周波数の信号を受信するための信号受信部を含み、前記遮蔽面の境界に連結され、前記遮蔽面を介して互いに向き合うように位置する２つのストリップアンテナを含むシールドケース１００を含む。
【００３８】
図示した２つのチップアンテナ２２０、２４０は、シールドケースによって無線信号が遮蔽されないようにシールドケースの外部に位置する。
前記シールドケースに形成された２つのストリップアンテナ及び前記２つのチップアンテナ２２０、２４０は、互いに異なる周波数帯域の信号を受信するように具現するか、または、前記２つのストリップアンテナの受信信号の周波数帯域が互いに同一であり、前記２つのチップアンテナの受信信号の周波数帯域が互いに同一であるように具現することができる。このとき、前記ストリップアンテナと前記チップアンテナの受信信号の周波数は互いに異なる。
【００３９】
例えば、前記２つのストリップアンテナは、２．３ＧＨｚ周波数帯域の韓国ワイブロ無線インターネットのために、それぞれ、アップロード信号とダウンロード信号を送／受信するように具現し、前記２つのチップアンテナは、２．５ＧＨｚ周波数帯域の他国の無線インターネットのために、それぞれ、アップロード信号とダウンロード信号を送／受信するように具現することができる。
【００４０】
図６に図示したシールドケース１００の代りに、図２または図３のシールドケースも用いることができることは勿論である。
【００４１】
図７は、本発明のまた他の実施例による４つのストリップアンテナを備えるシールドケースを示す。
図示したシールドケース３００は、内装される電子部品に対して電磁波を遮蔽するための遮蔽面３１０、及び、前記電子部品が実装される基板と結合する固定部３４４と、所望の周波数の信号を受信するための信号受信部３４２とを含み、前記遮蔽面３１０の境界に連結され、前記遮蔽面３１０を介して互いに点対称的に向き合うように位置する第１ストリップアンテナ３２０と第２ストリップアンテナ３４０、及び、前記遮蔽面３１０の境界に連結され、前記遮蔽面３１０の前記第１／第２ストリップアンテナ３２０、３４０が位置しない境界に位置し、前記遮蔽面３１０を介して点対称的に互いに向き合うように位置する第３ストリップアンテナ３６０と第４ストリップアンテナ３８０を含む。
【００４２】
前記第１／第２ストリップアンテナ３２０、３４０の受信信号の周波数帯域が互いに同一であり、また、前記第３／第４ストリップアンテナ３６０、３８０の受信信号の周波数帯域が互いに同一であるように具現することができる。このとき、前記第１／第２ストリップアンテナ３２０、３４０と前記第３／第４ストリップアンテナ３６０、３８０の受信信号の周波数は互いに異なり、図示した給電点３２６は、前記第１／第３ストリップアンテナ３２０、３６０に対して給電を行い、図示した給電点３４６は、前記第２／第４ストリップアンテナ３４０、３８０に対して給電を行う。
【００４３】
例えば、前記第１／第２ストリップアンテナ３２０、３４０は、２．３ＧＨｚ周波数帯域の韓国ワイブロ無線インターネットのために、それぞれ、アップロード信号とダウンロード信号を送／受信するように具現し、前記第３／第４ストリップアンテナ３６０、３８０は、２．５ＧＨｚ周波数帯域の他国の無線インターネットのために、それぞれ、アップロード信号とダウンロード信号を送／受信するように具現することができる。
これは、同一の周波数帯域のアンテナとして同時に用いられる２つのアンテナは互いに給電点が遠く離れなければならないことを満たすためである。
【００４４】
図７のシールドケース３００は前記第３／第４ストリップアンテナ３６０、３８０を除いては図２の場合と類似するため、重複する説明は省略する。
【００４５】
図８は、本発明のまた他の実施例による４つのストリップアンテナを備えるシールドケースを示す。
図示したシールドケース４００は、内装される電子部品に対して電磁波を遮蔽するための遮蔽面４１０、及び、前記電子部品が実装される基板と結合する固定部４４４と、所望の周波数の信号を受信するための信号受信部４４２とを含み、前記遮蔽面４１０の境界に連結され、前記遮蔽面４１０を介して互いに点対称的に向き合うように位置する第１ストリップアンテナ４２０と第２ストリップアンテナ４４０、及び、前記遮蔽面４１０の境界に連結され、前記遮蔽面４１０の前記第１／第２ストリップアンテナ４２０、４４０が位置しない境界に位置し、前記遮蔽面４１０を介して点対称的に互いに向き合うように位置する第３ストリップアンテナ４３０と第４ストリップアンテナ４５０を含む。
【００４６】
図８のシールドケース４００は、４つのストリップアンテナ４２０、４３０、４４０、４５０が給電点４２６、４３６、４４６、４５６をそれぞれ備える点に、図７の場合と差がある。図８の構造は、製造上図７の構造よりも難しいが、同時に用いられるアンテナの配置が自由な利点がある。
【００４７】
例えば、前記第１／第３ストリップアンテナ４２０、４３０の受信信号の周波数帯域が互いに同一であり、また、前記第２／第４ストリップアンテナ４４０、４５０の受信信号の周波数帯域が互いに同一であるように具現することができる。
【００４８】
図８のシールドケース４００は前記第３／第４ストリップアンテナ４３０、４５０を除いては図２の場合と類似するため、重複する説明は省略する。
【００４９】
上記構成による本発明のシールドケースまたはこれを含むアンテナセットを実施することにより、製造コストを節減する利点がある。
【００５０】
また、本発明のシールドケースまたはこれを含むアンテナセットは、製品の空間を節約することができる利点がある。
【００５１】
本発明の技術思想は上記実施例により具体的に記述されたが、上記した実施例はその説明のためのものであり、それを制限するためのものではないことに留意しなければならない。また、本発明の技術分野における通常の専門家であれば、本発明の技術思想の範囲で多様な実施例が可能であることを理解することができる。
【符号の説明】
【００５２】
１００  シールドケース
１１０  遮蔽面
１２０、１４０  ストリップアンテナ
１２２、１４２  信号受信部
１４４  固定部
【図１】
0005685590.tif 000002
【図２】
0005685590.tif 000003
【図３】
0005685590.tif 000004
【図４】
0005685590.tif 000005
【図５】
0005685590.tif 000006
【図６】
0005685590.tif 000007
【図７】
0005685590.tif 000008
【図８】
0005685590.tif 000009